(57)【要約】【課題】  水冷の車両用オイルクーラにおいて、コンパクトでさらに冷却性能の高いものの提供。【解決手段】  各プレート３、６を浅い円錐台形状（皿状）に形成し、その周縁の円環状側壁４の開口縁に放熱用のフランジ部５を設け、すべてのプレート３、６を同一方向に積層する。そして、隣接するプレート３、６を互いに接触してろう付けするとともに、各プレート３、６の一枚おきに冷却水流通路７とオイル流通路８とを形成する。【選択図】        図１
2011163625.tif 000002
【特許請求の範囲】
【請求項１】
その平面(3a)(6a)に一対の冷却水連通孔(1) と、一対のオイル連通孔(2)とが設けられて、浅い円錐台形状に形成された多数のプレート(3)(6)を有し、
各プレート(3)(6)は、その周縁の円環状側壁(4)の開口縁に、放熱用のフランジ部(5)が前記平面(3a)(6a)の方向に突設形成され、
全てのプレート(3)(6)が同一方向に積層されて、その円環状側壁(4)の内外面が隣接プレート(3)(6)に互いに接触してろう付けされると共に、その各平面間(3a)(6a)に隙間を有し、各プレート(3)(6)の一枚おきの前記隙間に冷却水流通路(7)とオイル流通路(8)が形成された車両用オイルクーラ。
【請求項２】
請求項１において、
前記プレート(3)(6)の開口側で、その積層方向の一端に、その開口直径より小なる直径の第１支持プレート(9)が配置され、積層方向の他端に第２支持プレート(10)が配置され、
積層方向の前記一端に位置する複数の前記プレート(3)(6)の円環状側壁(4)および放熱用のフランジ部(5)が、前記第１支持プレート(9)よりも軸線方向外側に突出された車両用オイルクーラ。
【請求項３】
請求項１または請求項２において、
前記オイルクーラは、車両の走行風が流通する位置に配置された車両用オイルクーラ。
【発明の詳細な説明】
【技術分野】
【０００１】
本発明は、積層型の水冷オイルクーラに関する。
【背景技術】
【０００２】
従来の積層型オイルクーラは、多数の皿状プレートを交互に逆向きに重ね合わせて、各プレートの１つおきにオイル流路と冷却水流路とを形成していた（特許文献１）。
あるいは、皿状プレートを同一方向に重ね合わせて、同様に各プレートの１枚おきに冷却水流路とオイル流路とを形成していた（特許文献２）。
【先行技術文献】
【特許文献】
【０００３】
【特許文献１】特開２００７−３０２８号公報
【特許文献２】特開２００８−４５４７７号公報
【発明の概要】
【発明が解決しようとする課題】
【０００４】
従来型オイルクーラは、高温のオイルを冷却水のみによって冷却する構造であった。
そこで本発明は、水冷オイルクーラの外周からも空冷できる構造の冷却性能の高いコンパクトなものを提供することを課題とする。
【課題を解決するための手段】
【０００５】
請求項１に記載の本発明は、その平面(3a)(6a)に一対の冷却水連通孔(1) と、一対のオイル連通孔(2)とが設けられて、浅い円錐台形状に形成された多数のプレート(3)(6)を有し、
各プレート(3)(6)は、その周縁の円環状側壁(4)の開口縁に、放熱用のフランジ部(5)が前記平面(3a)(6a)の方向に突設形成され、
全てのプレート(3)(6)が同一方向に積層されて、その円環状側壁(4)の内外面が隣接プレート(3)(6)に互いに接触してろう付けされると共に、その各平面間(3a)(6a)に隙間を有し、各プレート(3)(6)の一枚おきの前記隙間に冷却水流通路(7)とオイル流通路(8)が形成された車両用オイルクーラである。
【０００６】
請求項２に記載の本発明は、請求項１において、
前記プレート(3)(6)の開口側で、その積層方向の一端に、その開口直径より小なる直径の第１支持プレート(9)が配置され、積層方向の他端に第２支持プレート(10)が配置され、
積層方向の前記一端に位置する複数の前記プレート(3)(6)の円環状側壁(4)および放熱用のフランジ部(5)が、前記第１支持プレート(9)よりも軸線方向外側に突出された車両用オイルクーラである。
請求項３に記載の本発明は、請求項１または請求項２において、
前記オイルクーラは、車両の走行風が流通する位置に配置された車両用オイルクーラである。
【発明の効果】
【０００７】
本発明の車両用オイルクーラを構成する各プレート３、６は、その円環状側壁４の開口縁にフランジ部５が平面方向に突設形成され、すべてのプレート３、６が同一方向に積層されたから、各プレート３、６のフランジ部５がオイルクーラ外周に多数突設されることにより空気と接する面の放熱面積がより増加するので、それによって外周からも空気冷却される効果を有する。
【０００８】
上記構成において、請求項２に記載のように、各プレート３、６の一端に位置する第１支持プレート９よりも各プレート３、６の円環状側壁４およびフランジ部５が軸線方向外側に突出されたものでは、さらにオイルクーラとしての放熱性が向上する。
請求項３に記載のように、車両の走行風が通過する位置に、そのオイルクーラが配置されたものでは、その走行風によってオイルクーラがより効率的に放熱される。
【図面の簡単な説明】
【０００９】
【図１】本発明の車両用オイルクーラの縦断面図であって、図４のＩ−Ｉ矢視断面図。
【図２】図１のII−II部拡大図。
【図３】図１のIII−III部拡大図。
【図４】同オイルクーラの平面図。
【図５】プレート３、６の要部拡大断面図。
【発明を実施するための形態】
【００１０】
次に、図面に基づいて本発明の実施の形態につき説明する。
本発明の車両用オイルクーラは、多数のプレート３、６の積層体からなる。プレート３、６はそれぞれ浅い円錐台形状（皿状）に形成され、その平面3ａ、6ａに一対づつの冷却水連通孔１、オイル連通孔２が穿設されている。一方のプレート３のオイル連通孔２はその孔縁部が下向きにバーリング加工され、他方のプレート６のオイル連通孔２はそのバーリング加工部外周に整合すると共に、そのオイル連通孔２の周縁部は上向きに環状凸部を形成する。また、一方のプレート３の冷却水連通孔１は、前記と逆に、その孔縁部が上向きに環状凸部を形成し、他方のプレート６の冷却水連通孔１の孔縁部が下向きにバーリング加工されている。
【００１１】
なお、プレート３、６の周縁は円環状側壁４が形成され、その開口縁に放熱用のフランジ部５が平面方向に突設形成されている。全てのプレート３，６が同一方向に積層されて、その円環状側壁４の内外面が隣接プレート３，６間で互いに接触してろう付けされる。それと共に、その各平面間3a,6aに隙間を有し、各プレート３，６の一枚おきの前記隙間に冷却水流通路７とオイル流通路８が交互に形成され、オイル流通路８には平面円板状のインナーフィン13が介装されている。
そして、積層方向の一端には第１支持プレート９が設けられ、他端に第２支持プレート10が配置されている。第１支持プレート９は、プレート３，６の開口よりも小なる円形に形成され、各プレートの一対づつのオイル連通孔２、冷却水連通孔１に整合する位置に孔が設けられ、そこに一対づつの冷却水パイプ11およびオイルパイプ12が接合されている。
【００１２】
このようにして組立てられたオイルクーラは、各部品の接触部間が一体にろう付け固定される。そして、一方の冷却水パイプ11から冷却水が流入して冷却水流通路７を通り、他方の冷却水パイプ11からそれが放出される。また、一方のオイルパイプ12からはオイルが流入し、オイル流通路８を流通して他方のオイルパイプ12からそれが流出される。このとき冷却水によりオイルが冷却される。
【００１３】
このような車両用オイルクーラは、車両のエンジンルーム等に配置される。そして、車両の走行にともなって、オイルクーラ外周に空気流が流通する。このとき、各プレート３、６のフランジ部５および円環状側壁４が外面側に露出しているため、走行風によりあるいは、ファンによってオイルクーラの外面が冷却される。そのため、高温のオイルは冷却水と空気流との両者により内面側と外面側から冷却される。
【符号の説明】
【００１４】
１  冷却水連通孔
２  オイル連通孔
３  プレート
3a  平面
４  円環状側壁
５  フランジ部
６  プレート
6a  平面
【００１５】
７  冷却水流通路
８  オイル流通路
９  第１支持プレート
10  第２支持プレート
11  冷却水パイプ
12  オイルパイプ
13  インナーフィン
14  車両用オイルクーラ
【図１】
2011163625.tif 000003
【図２】
2011163625.tif 000004
【図３】
2011163625.tif 000005
【図４】
2011163625.tif 000006
【図５】
2011163625.tif 000007